(57)【要約】【課題】  従来と変わらずフィット感がよく、ズボン着用時のシルエットもよく、排尿も容易に行うことができるとともに、局部の蒸れを防止することができる男性用下着を提供する。【解決手段】  股下部５及び両側縁部６Ｒ、６Ｌで連続した前身頃２と後身頃３とによって、胴開口部７及び左右一対の脚開口部８Ｒ、８Ｌが設けられた男性用下着１において、前身頃２の局部を被覆する位置で、上方縁４ａが胴開口部７の開口縁よりも下方に位置し略平行になるように配される局部被覆布４と、局部被覆布４と重なる前身頃２の中央部９とによって、局部が収容される空間部１０が形成され、前身頃２は、前身頃２の股下部５近傍において、空間部１０に局部を収容させるための挿通口１４が設けられる。【選択図】  図２
0003126820.tif 000002
【実用新案登録請求の範囲】
【請求項１】
股下部及び両側縁部で連続した前身頃と後身頃とによって、胴開口部及び左右一対の脚開口部が設けられた男性用下着において、
上記前身頃における局部を被覆する位置で、上方縁が上記胴開口部の開口縁よりも下方に位置し略平行になるように配される局部被覆布と、該局部被覆布と重なる上記前身頃の中央部とによって、上記局部が収容される空間部が形成され、
上記前身頃は、該前身頃の股下部近傍において、上記空間部に上記局部を収容させるための挿通口が設けられる
ことを特徴とする男性用下着。
【請求項２】
上記前身頃に設けられる挿通口は、上記胴開口部側に向かってアーチ状に設けられることを特徴とする請求項１記載の男性用下着。
【請求項３】
上記局部被覆布の上方縁は、弾性部材が設けられることを特徴とする請求項１又は２記載の男性用下着。
【考案の詳細な説明】
【技術分野】
【０００１】
本考案は、着用感に優れ、衛生的な男性用下着に関する。
【背景技術】
【０００２】
男性用下着には、形状がいわゆるトランクス型であり、脚周りや胴周りに弾性部材を配し、さらに、生地自体を伸縮性に富んだものにより形成されたものがある。このような伸縮性を有するトランクス型の下着は、フィット性がよく、ズボンを着用した際のシルエットがよいことで、多くの男性に愛用されている。また、このような男性用下着には、前身頃の略中央部に、排尿の際に局部を挿出するための窓部が設けられており、排尿を容易に行えるようにした機能も備わっている。
【０００３】
ところで、このような下着は、局部を覆う部位において、前身頃と窓部を形成する当て布とにより二重構造となっている。また、脚周りや胴周りにおいては、弾性部材を配し、脚や胴に密着させるような構造となっている。
【０００４】
そのため、局部が、密閉された空間に位置することとなり、さらに、局部が少なくとも２枚の布により覆われているので、汗によって蒸れたり湿ったりし、局部を不衛生な環境に晒すことになっていた。また、フィット感や、ズボン着用時のシルエットをよくすることに重きが置かれることにより、局部と下腹部とが密着することとなり、衛生的ではなかった。
【考案の開示】
【考案が解決しようとする課題】
【０００５】
そこで、本考案は、このような従来の事情に鑑みてなされたものであり、従来と変わらずフィット感がよく、ズボン着用時のシルエットもよく、排尿も容易に行うことができるとともに、局部の蒸れを防止することができる男性用下着を提供することを目的とする。
【課題を解決するための手段】
【０００６】
この目的を達成するために、本考案は、股下部及び両側縁部で連続した前身頃と後身頃とによって、胴開口部及び左右一対の脚開口部が設けられた男性用下着において、上記前身頃における局部を被覆する位置で、上方縁が上記胴開口部の開口縁よりも下方に位置し略平行になるように配される局部被覆布と、該局部被覆布と重なる上記前身頃の中央部とによって、局部が収容される空間部が形成され、上記前身頃は、該前身頃の股下部近傍において、上記空間部に上記局部を収容させるための挿通口が設けられることを特徴とする。
【考案の効果】
【０００７】
本考案は、局部が収容される空間部が形成されているので、局部と下腹部とが直接密着することがなく、フィット感やズボン着用時のシルエットを損なうことなく、局部を衛生的に保つことができる。
【０００８】
また、本考案は、局部被覆布の上方縁から局部を挿出することができるので、排尿行為も容易に行うことができる。
【考案を実施するための最良の形態】
【０００９】
以下、本考案を適用した男性用下着について、図面を参照しながら詳細に説明する。
【００１０】
図１及び図２に示す本考案を適用した男性用下着１は、前身頃２と、後身頃３と、前身頃２において局部を被覆する位置に設けられる局部被覆布４とによって構成される。男性用下着１は、前身頃２と後身頃３とが、股下部５と左右の側縁部６Ｒ、６Ｌにおいて連結され、胴開口部７、左右一対の脚開口部８Ｒ、８Ｌとを形成する。男性用下着１は、局部被覆布４と前身頃２の中央部９とによって、局部が収容される空間部１０が形成される。
【００１１】
胴開口部７を構成する前身頃２と後身頃３の上方縁２ａ、３ａには、胴開口部７を着用者の胴周りに密着させるための帯状の弾性糸等で構成された弾性部材１１が設けられている。また、脚開口部８Ｒを構成する前身頃２と後身頃３の脚周り部２ｂ、３ｂには、脚開口部８Ｒを着用者の大腿部の付け根近傍に密着させるための帯状の弾性糸等で構成された弾性部材１２Ｒが設けられ、脚開口部８Ｌを構成する前身頃２と後身頃３の脚周り部２ｃ、３ｃには、脚開口部８Ｌを着用者の大腿部の付け根近傍に密着させるための帯状の弾性糸等で構成された弾性部材１２Ｌが設けられている。
【００１２】
局部被覆布４は、略台形形状で伸縮性を有する布地により形成され、前身頃２の中央部９の局部を覆う位置に配設されている。局部被覆布４は、上方縁４ａが前身頃２の上方縁２ａと略平行になるように配され、左右の両側縁４ｂ、４ｃが前身頃２に接合され、下方縁４ｄが前身頃２の股下部５近傍に接合されている。局部被覆布４は、上方縁４ａが下方縁４ｄよりも幅広な略台形形状とすることにより、排尿時に局部を圧迫しないで挿出させることができる。
【００１３】
局部被覆布４の上方縁４ａは、通常の着用時には局部を被覆することができ、排尿時には局部を挿出しやすいとともに局部を圧迫しないように、前身頃２の上方縁２ａと略同位置もしくは所定の距離離れた下方に位置するように配されている。また、局部被覆布４の上方縁４ａには、上方縁４ａを前身頃２と密着させるための一又は複数本の弾性糸等の弾性体１３が設けられている（図２参照。）。
【００１４】
前身頃２の中央部９には、股下部５近傍において、局部被覆布４と前身頃２の中央部９とによって形成される空間部１０に、局部を収容させるための挿通口１４が設けられている。挿通口１４は、局部の空間部１０への収容に際し、局部が圧迫されることを防ぐために、胴開口部７側に向かってアーチ状に設けられている。
【００１５】
なお、前身頃２に設けられる挿通口１４は、上述のようにアーチ状に形成されることに限らず、局部の圧迫を防ぐことができるものであればよく、例えば、挿通口１４周縁を伸縮性に富んだ素材により形成したり、中央部のみをアーチ状とするようにしてもよい。
【００１６】
局部被覆布４と前身頃２の中央部９とによって形成される空間部１０は、着用者の局部と下腹部とが直接接しないように隔離するために、局部を収容させる空間である。空間部１０は、着用者の局部を収容することができるとともに、排尿行為のために局部を挿出させることができる大きさであればいかなる大きさであってもよい。着用者は、図２及び図３に示すように、前身頃２の挿通口１４から局部を挿通させることにより、局部を空間部１０に収容させる。
【００１７】
このような男性用下着１は、各構成部材を従来の男性用下着に用いられる布地や、綿、ナイロン、ポリエステルなどにポリウレタンなどの弾性を有する素材を織り交ぜた布地により形成されている。また、男性用下着１は、各構成部材の一部、例えば、局部被覆布４を前身頃２よりも伸縮性に富んだ布地により形成し、局部被覆布４側の伸縮により空間部１０の大きさが可変となり、収容される局部への圧迫を最小限にするようにしてもよい。
【００１８】
本考案に係る男性用下着１は、前身頃２の挿通口１４から着用者の局部を空間部１０に収容させて着用される。また、この男性用下着１は、排尿時には、図４に示すように、局部被覆布４の上方縁４ａを引き下げて局部を挿出させ排尿行為を行うことができる。
【００１９】
以上のような構成を有する男性用下着１は、局部被覆布４と前身頃２の中央部９とによって、局部が収容される空間部１０が形成されるので、局部と下腹部とが隔離され直接密着することがなく、フィット感やズボン着用時のシルエットを損なうことなく、局部を衛生的に保つことができる。また、男性用下着１は、局部が局部被覆布４の１枚布を介して覆われているので、従来のように前身頃２とともに二重に覆われることがないので、通気を良くすることができ、局部の蒸れを防止することができる。また、局部被覆布４の上方縁４ａは、前身頃２の上方縁２ａから下方の位置に配されており、局部被覆布４の上方縁４ａから局部を挿出することができるので、排尿行為も容易に行うことができる。
【００２０】
また、男性用下着１は、前身頃２の挿通口１４が胴開口部７側にアーチ状に形成されることにより、着用時の空間部１０に局部を収容した状態においても、局部を圧迫することがなく、快適な着用感を使用者に与えることができる。
【００２１】
なお、本考案に係る男性用下着１は、上述のように、脚開口部８Ｒ、８Ｌに弾性部材１２Ｒ、１２Ｌが設けられることに限らず、弾性部材１２Ｒ、１２Ｌを設けずに、密着性を有しないものとしてもよい。また、男性用下着１は、全体形状を上述のようなトランクス型に限らず、空間部１０を形成する局部被覆布４、挿通口１４などを備えるものであればいかなるものであってもよく、例えば、ブリーフ型の形状を有するものであってもよい。
【図面の簡単な説明】
【００２２】
【図１】本考案を適用した男性用下着の斜視図である。
【図２】本考案を適用した男性用下着の破断斜視図である。
【図３】本考案を適用した男性用下着の図１のＡ−Ａ´線における断面図である。
【図４】本考案を適用した男性用下着の局部被覆布を引き下げた様子を示す図である。
【符号の説明】
【００２３】
１  男性用下着、２  前身頃、３  後身頃、４  局部被覆布、４ａ  上方縁、５  股下部、６Ｒ、６Ｌ  側縁部、７  胴開口部、８Ｒ、８Ｌ  脚開口部、９  中央部、１０  空間部、１１、１２Ｒ、１２Ｌ  弾性部材、１３  弾性体、１４  挿通口
【図１】
0003126820.tif 000003
【図２】
0003126820.tif 000004
【図３】
0003126820.tif 000005
【図４】
0003126820.tif 000006